(57)【特許請求の範囲】
【請求項１】
光ケーブル（２０）端末に露出されたテンションメンバ（２９）が当接されるテンションメンバ当接部（１０）を有する本体（９）と、テンションメンバに対して垂直な軸線を以て回転自在に支持され、本体に設けられた係合支持手段（１４）と係脱可能に形成された回転係合部材（１１）とを具備してなり、
前記係合支持手段が本体側部に突設された係合部材（１４）であり、回転係合部材の回転軸線から離間した位置に、該回転係合部材をテンションメンバの先端側から基端側に回転させた時に係合部材と係脱可能に係合する抜き穴（１５）を回転係合部材の回転方向前面に開口し、
回転係合部材を前記係合支持手段と係合した時にはテンションメンバ当接部と回転係合部材との間にテンションメンバが把持固定され、回転係合部材を係合支持手段から離脱した時にはテンションメンバ当接部と回転係合部材との間にテンションメンバが固定時の軸線に対して垂直の方向で出し入れ可能になっていることを特徴とする光ケーブル固定具（１）。
【発明の詳細な説明】
【０００１】
【発明の属する技術分野】
本発明は、光ケーブル端末に露出されたテンションメンバを把持固定する光ケーブル固定具に関するものである。
【０００２】
【従来の技術】
図５および図６は、従来のテンションメンバ固定金具が適用された光ケーブルクロージャを示す。
図中符号２１は光ケーブルクロージャのクロージャスリーブ、２２は連結棒、２３は収納トレーである。
図において、クロージャスリーブ２１は、二つ割り円筒状に形成され、軸方向両端面から平行な２軸線上に布線された光ケーブル２０が２本ずつ計４本挿通されるようになっている。
【０００３】
クロージャスリーブ２１内には、該クロージャスリーブ２１の軸線方向両端において光ケーブル２０を把持固定する固定金具２４ａ，２４ｂ同士を連結する連結棒２２と、ヒンジ部２５を介して相対回動可能に連結して棚状に積層され、それぞれ光ケーブル２０から導出した光ファイバ心線２６（光ファイバ）同士を光接続する光コネクタ２７（光接続部）を収納する複数枚の収納トレー２３とが収納されている。
連結棒２２は、十分な剛性を有する細長い板材であって、クロージャスリーブ２１の軸線と平行として、クロージャスリーブ２１の底部に配置されている。連結棒２２の長手方向両端部には、光ケーブル２０を把持固定するための固定金具２４ａ，２４ｂが一組ずつ固定されている。固定金具２４ａ，２４ｂの内、連結棒２２の先端側に配置されたシース固定金具２４ａは光ケーブル２０のシースを把持し、連結棒２２の中央部側に配置されたテンションメンバ固定金具２４ｂは光ケーブル２０の端末に露出させたテンションメンバ２９を把持するようになっている。
【０００４】
図７はテンションメンバ固定金具２４ｂの構成を示す分解斜視図である。
テンションメンバ固定金具２４ｂは連結棒２２上に立設状態に固定されており、ネジ３０によって着脱されるコ字状の固定用プレート３１が螺着されることにより、該固定用プレート３１との間にテンションメンバ２９を把持固定するようになっている。
【０００５】
図８は、従来のテンションメンバ固定金具３３の別態様を示す。
図において、テンションメンバ固定金具３３は、テンションメンバ２９が差し込まれる円筒状の挿通固定部３４を有し、該挿通固定部３４の側部に開口された連通孔３５から固定用ネジ３６を締め込むことにより、挿通固定部３４内に挿通されたテンションメンバ２９を固定し、さらに円筒状の保護カバー３７を外側に装着して固定部全体を保護固定するようになっている。
【０００６】
【発明が解決しようとする課題】
ところで、前記した各テンションメンバ固定金具２４ｂ、３３の場合、ネジ３０、３６を抜き取らずにテンションメンバ２９を把持固定、固定解除するには、ネジ３０、３６を緩めて光ケーブル２０を把持固定時の軸線方向に移動させてテンションメンバ２９をテンションメンバ固定金具２４ｂ、３３に挿抜させるので、シース固定金具２４ａに設けられた鬼目によって光ファイバ心線２６が損傷を受けることを防ぐ作業を必要とするため、作業工数が増大して把持固定や固定解除の作業能率が低下する不満があった。
すなわち、テンションメンバ固定金具２４ｂ、３３にあっては、光ケーブル２０の連結棒２２への取り付け、取り外しの作業性に鑑みてネジ３０、３６を抜き取らずにテンションメンバ２９の把持固定、固定解除作業を行うことが一般的であり、この場合には、テンションメンバ２９をテンションメンバ固定金具２４ｂと固定用プレート３１との間やテンションメンバ固定金具３３の挿通固定部３４に挿抜する際にシース固定金具２４ａに光ファイバ心線２６を通過させることが避けられず、保護材を使用して光ファイバ心線２６が直接鬼目と接触することを防止したり、あるいは光ケーブル２０の端末を切断して光ファイバ心線２６の引き出しをやり直すといった処置が不可欠となり、作業工数の増大の原因になっていた。
【０００７】
また、図７記載のテンションメンバ固定金具２４ｂでは、固定用プレート３１を取り外しておけば、側方からもテンションメンバ２９を固定位置に出し入れすることができるが、前述した構成ではネジ３０が落下しやすいといった不満があるため問題の根本的な解決に至らない。
【０００８】
本発明は、前述の課題に鑑みてなされたもので、光ケーブルのテンションメンバの固定、固定解除の作業性が向上する光ケーブル固定具を提供することを目的とするものである。
【０００９】
【課題を解決するための手段】
本発明は、前記課題を解決するため、以下の構成を採用した。
すなわち、本発明の光ケーブル固定具では、光ケーブル端末に露出されたテンションメンバが当接されるテンションメンバ当接部を有する本体と、テンションメンバに対して垂直な軸線を以て回転自在に支持され、本体に設けられた係合支持手段と係脱可能に形成された回転係合部材とを具備してなり、前記係合支持手段が本体側部に突設された係合部材であり、回転係合部材の回転軸線から離間した位置に、該回転係合部材をテンションメンバの先端側から基端側に回転させた時に係合部材と係脱可能に係合する抜き穴を回転係合部材の回転方向前面に開口し、回転係合部材を前記係合支持手段と係合した時にはテンションメンバ当接部と回転係合部材との間にテンションメンバが把持固定され、回転係合部材を係合支持手段から離脱した時にはテンションメンバ当接部と回転係合部材との間にテンションメンバが固定時の軸線に対して垂直の方向で出し入れ可能になっていることを前記課題の解決手段とした。
【００１１】
以下、各請求項記載の発明の作用を説明する。
本発明によれば、光ケーブルのテンションメンバを光ケーブル固定具に対して出し入れする時には、光ケーブル固定具の側方から光ケーブルをその固定時の軸線に対して垂直の方向に移動する。こうすることにより、光ケーブルの端末に引き出した光ファイバ心線が光ケーブルのシース把持具や光ケーブル固定具等の部品と接触することを容易に回避することができ、作業中に光ファイバ心線を傷める心配が無いとともに、光ファイバ心線を保護するための作業が不要になって作業工数が減少するので、光ケーブルの固定、固定解除作業を効率良く行うことができる。
【００１２】
また、本発明によれば、回転係合部材を回転して係合部材と係脱させるだけで、テンションメンバの固定と固定解除とを簡便に行うことができる。また、回転係合部材はテンションメンバの先端側から基端側に回転させた時に係合部材と係合するようになっているので、光ケーブルのスロットやシース等が回転係合部材の回転の邪魔にならず、効率良く係脱作業を行うことができる。
【００１３】
【発明の実施の形態】
以下本発明の光ケーブル固定具の実施形態を、図１（ａ）、（ｂ）、（ｃ）から図４を参照して説明する。
なお、図中、図５から図８と同一の構成部分には同一の符号を付し、その説明を簡略化する。
図１から図３は、本発明に係る光ケーブル固定具１（以下「テンションメンバ固定金具」）を適用した光ケーブルクロージャ２を示す。光ケーブルクロージャ２は、図５記載の光ケーブルクロージャのテンションメンバ固定金具２４ｂを本実施形態のテンションメンバ固定金具１に変更したものである。
【００１４】
図１（ａ）および図１（ｂ）に示すように、光ケーブル２０は、光ケーブルクロージャ２の軸方向端部を閉塞する端面部３に形成された光ケーブル導入穴４から光ケーブルクロージャ２内に導入される。
前記端面部３には、二つの光ケーブル導入穴４と、ガスバルブ５と、アース端子６とが設けられている。各光ケーブル導入穴４は、図１（ｂ）および図１（ｃ）に示すように、該光ケーブル導入穴４の内径および光ケーブル２０の断面形状に適合する弾性体アダプタ７によって水密に封止される。
なお、光ケーブルクロージャ２のクロージャスリーブは二つ割り構造であって、締結具８の操作によって開閉自在になっており、しかも閉塞時には内部の水密性が確保されるようになっている。
【００１５】
図１（ａ）に示すように、光ケーブルクロージャ２の連結棒２２のシース固定金具２４ａよりやや長手方向中央部寄りにはテンションメンバ固定金具１が固定されている。
以下、図２および図３を参照してテンションメンバ固定金具１を詳細に説明する。
図において、テンションメンバ固定金具１は、連結棒２２上に立設状態に固着されたコ字状の固定金具本体９と、該固定具本体９の両端に形成されたフランジ状のテンションメンバ当接部１０との間にテンションメンバ２９を挟み込む回転プレート１１とを有している。固定金具本体９は、両テンションメンバ当接部１０が連結棒２２から上方（図２、図３上方）に向くようにして配置され、両テンションメンバ当接部１０を連結するウェブ部９ａが連結棒２２上面上に固着されている。
なお、回転プレート１１は、請求項１記載の回転係合部材に相当する。
【００１６】
回転プレート１１は、概略長方形の高い剛性を有する板材であって、長手方向一端が固定具本体９の下部側部に螺着された軸用ネジ１２によって軸支され、垂直面内で回転自在になっている。回転プレート１１の長手方向中央部には、テンションメンバ２９と係合される溝１３が形成されている。回転プレート１１の他端には、回転プレート１１を正逆回転することによりテンションメンバ当接部１０の側部に突設された係合ネジ１４と係脱される抜き穴１５が形成されている。また、抜き穴１５は、回転プレート１１の正回転（図２時計回り）時の回転方向前面に開口するＵ字状になっている。回転プレート１１の軸用ネジ１２と係合する係合穴１６は楕円形であり、抜き穴１５と係合ネジ１４との係脱時も含めて回転プレート１１が常時スムーズに回転できるようにしている。なお、軸用ネジ１２および係合ネジ１４は、回転操作によって回転プレート１１のクランプ力を調整することができる。係合ネジ１４は、本発明に係る係合支持手段、係合部材に相当する。
【００１７】
以下、本実施形態の作用および効果を説明する。
光ケーブルクロージャ２内に光ケーブル２０を導入する時には、光ケーブル２０の端末に露出させたテンションメンバ２９をテンションメンバ固定金具１にその側方から導入してテンションメンバ当接部１０に当接させた後、回転プレート１１を手動で正回転させてテンションメンバ当接部１０と回転プレート１１との間にテンションメンバ２９を把持固定する。回転プレート１１は、係合ネジ１４と係合させて逆回転しないようにしておく。この時、回転プレート１１はテンションメンバ固定金具１の収納トレー２３側で回転させて、収納トレー２３側から係合ネジ１４に係合させるので、例えば光ケーブル２０のスロット１７等の部品と干渉すること無くスムーズに回転させることができる。また、光ケーブル２０のシース部分もシース固定金具２４ａにその側方から挿入して把持固定されるので、光ケーブル２０はテンションメンバ固定金具１やシース固定金具２４ａに側方から水平（図１（ａ）紙面奥行き方向、図１（ｂ）上下方向）に移動して導入することにより、光ケーブル２０の把持固定作業を行うことができる。したがって、固定作業において、シース固定金具２４ａに光ケーブル２０の端末に引き出した光ファイバ心線２６を通過させる工程が無く、光ファイバ心線２６がシース固定金具２４ａ等と直接接触しないようにするための作業が不要になるので、作業工数が減少して作業能率が向上する。
【００１８】
テンションメンバ２９の把持固定時には、回転プレート１１を係合ネジ１４に係合させた後、軸用ネジ１２および係合ネジ１４を締め付けて回転プレート１１の回転を規制する。この時、軸用ネジ１２は図２中時計回りに回転させて締め付けるので、軸用ネジ１２の回転によって回転プレート１１が逆回転することは無く、回転プレート１１が係合ネジ１４から離脱するといった心配は無い。
なお、軸用ネジ１２や係合ネジ１４にかえて、図４に示すように、固定時に時計回りの回転力を与えない回転支持機構１８（例えば逆ネジ等）を適用すれば、回転プレート１１の回転軸線を抜き穴１５と係合する回転支持機構１８の上方に置くことも可能である。
【００１９】
テンションメンバ２９の固定解除時には、回転プレート１１を逆回転させて係合ネジ１４との係合を解除し、テンションメンバ固定金具１からテンションメンバ２９を抜き出す。この時、回転プレート１１を逆回転して抜き穴１５を係合ネジ１４から離脱させたと同時に固定位置のテンションメンバ２９が露出してテンションメンバ固定金具１の側方に取り出し可能になるので、光ケーブルクロージャ２から光ケーブル２０を撤去する作業の能率を大幅に向上することができる。また、テンションメンバ固定金具１は、テンションメンバ２９の固定解除時に分離される部品が無いので、固定解除作業によって部品が落下する心配が無く、テンションメンバ２９の再固定時に有利である。
【００２０】
したがって、本実施形態のテンションメンバ固定金具１によれば、テンションメンバ２９の把持固定時および固定解除時のいずれにおいても、テンションメンバ２９の固定位置に対する出し入れ作業がテンションメンバ固定金具１の側方になるので、光ケーブルクロージャ２に対する光ケーブル２０の取り付け、撤去作業においてシース固定金具２４ａに光ケーブル２０の光ファイバ心線２６を通過させる必要が無くなり、光ファイバ心線２６に影響を与えること無く効率良く作業を行うことができる。
また、テンションメンバ２９の固定解除時にテンションメンバ固定金具１の構成部品を分離する必要が無いので、回転プレート１１の係合ネジ１４との係脱操作とネジ１２、１４の回転操作とを行うだけでテンションメンバ２９の固定と固定解除を何度でも効率良く行うことができる。
【００２１】
なお、本発明の光ケーブル固定具は、コネクタ付きケーブル等の各種光ケーブルのテンションメンバの固定に適用することができる。
また、テンションメンバの材質には限定が無く、光ケーブルに作用する引張力を負担する部材であれば良く、例えばスロット１７も含まれる。
回転プレート１１と係脱する係合支持手段（係合部材）としては、弾性体爪等を適用することも可能である。
【００２２】
【発明の効果】
以上説明したように、本発明の光ケーブル固定具によれば、光ケーブルのテンションメンバを光ケーブル固定具に対して出し入れする時には、光ケーブル固定具の側方から光ケーブルをその固定時の軸線に対して垂直の方向に移動することにより、光ケーブルの端末に引き出した光ファイバ心線が光ケーブルのシース把持具や光ケーブル固定具等の部品と接触することを容易に回避することができるので、作業中に光ファイバ心線を傷める心配が無いとともに、光ファイバ心線を保護する作業が不要になるので、工数が減少して光ケーブルの固定、固定解除作業を効率良く行うことができるといった優れた効果を奏する。
【００２３】
また、本発明の光ケーブル固定具によれば、回転係合部材を回転して係合部材と係脱させるだけで、テンションメンバの固定と固定解除とを簡便に行うことができ、作業性が向上する。また、回転係合部材がテンションメンバの先端側から基端側に回転させた時に係合部材と係合するようになっているので、回転係合部材が回転時に光ケーブルのスロットやシースと接触する心配が無く、効率良く係脱作業を行うことができ、テンションメンバの固定および固定解除の作業能率を一層向上することができるといった優れた効果を奏する。
【図面の簡単な説明】
【図１】  本発明の一実施形態の光ケーブル固定具を適用した光ケーブルクロージャを示す図であって、（ａ）は正面図、（ｂ）は側面図、（ｃ）は平面図である。
【図２】  図１の光ケーブル固定具を示す要部拡大正面図である。
【図３】  図１の光ケーブル固定具を示す要部拡大側面図である。
【図４】  図１の光ケーブルクロージャに適用される光ケーブル固定具の別態様を示す正面図である。
【図５】  従来例のテンションメンバ固定金具が適用された光ケーブルクロージャを示す全体斜視図である。
【図６】  図５の光ケーブルクロージャに適用されたテンションメンバ固定金具を示す正面図である。
【図７】  図６のテンションメンバ固定金具を示す分解斜視図である。
【図８】  従来例のテンションメンバ固定金具の別態様を示す分解斜視図である。
【符号の説明】
１…光ケーブル固定具（テンションメンバ固定金具）、９…本体（固定金具本体）、１０…テンションメンバ当接部、１１…回転係合部材（回転プレート）、１４…係合支持手段、係合部材（係合ネジ）、１５…抜き穴、２０…光ケーブル、２９…テンションメンバ。
【図１】
0003765877.tif 000002
【図２】
0003765877.tif 000003
【図３】
0003765877.tif 000004
【図４】
0003765877.tif 000005
【図５】
0003765877.tif 000006
【図６】
0003765877.tif 000007
【図７】
0003765877.tif 000008
【図８】
0003765877.tif 000009